(57)【特許請求の範囲】
【請求項１】
移動局が、無線基地局配下のセルによって通知された許可値に対応する伝送速度で、上りユーザデータを送信する移動通信方法であって、
前記移動局と前記無線基地局配下のセルとの間で新規に上りユーザデータ送信用チャネルが設定される際に、該無線基地局配下のセルが、初期許可値を決定する工程と、
前記無線基地局配下のセルが、決定された前記初期許可値を、無線制御局に通知する工程と、
前記無線制御局が、前記無線基地局配下のセルによって通知された前記初期許可値を、前記移動局に対して通知する工程と、
前記移動局が、前記上りユーザデータ送信用チャネルが設定された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信する工程とを有し、
前記無線基地局配下のセルは、前記初期許可値を、前記上りユーザデータ送信用チャネル上で１つのデータユニットだけを送信する際の許可値と等しくすることを特徴とする移動通信方法。
【請求項２】
移動局が、無線基地局配下のセルによって通知された許可値に対応する伝送速度で、上りユーザデータを送信する移動通信方法であって、
前記移動局のサービングセルが、第１無線基地局配下のセルから第２無線基地局配下のセルに変更される際に、変更後のサービングセルが、初期許可値を決定する工程と、
前記変更後のサービングセルが、決定された前記初期許可値を、無線制御局に通知する工程と、
前記無線制御局が、前記変更後のサービングセルによって通知された前記初期許可値を、前記移動局に対して通知する工程と、
前記移動局が、前記サービングセルの変更が行われた後、前記変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信する工程とを有し、
前記変更後のサービングセルは、前記初期許可値を、前記上りユーザデータ送信用チャネル上で１つのデータユニットだけを送信する際の許可値と等しくすることを特徴とする移動通信方法。
【請求項３】
移動局が、無線基地局配下のセルによって通知された許可値に対応する伝送速度で、上りユーザデータを送信する移動通信方法であって、
前記移動局のサービングセルが、前記無線基地局配下の通信中セル群内のセルから該無線基地局配下の非通信中セルに変更される際に、変更後のサービングセルが、初期許可値を決定する工程と、
前記変更後のサービングセルが、決定された前記初期許可値を、無線制御局に通知する工程と、
前記無線制御局が、前記変更後のサービングセルによって通知された前記初期許可値を、前記移動局に対して通知する工程と、
前記移動局が、前記サービングセルの変更が行われた後、前記変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信する工程とを有し、
前記変更後のサービングセルは、前記初期許可値を、前記上りユーザデータ送信用チャネル上で１つのデータユニットだけを送信する際の許可値と等しくすることを特徴とする移動通信方法。
【請求項４】
移動局が、無線基地局配下のセルによって通知された許可値に対応する伝送速度で、上りユーザデータを送信する移動通信方法であって、
前記移動局と前記無線基地局配下のセルとの間で設定されている上りユーザデータ送信用チャネルのサブフレーム長が変更される際に、該無線基地局が、初期許可値を決定する工程と、
前記無線基地局配下のセルが、決定された前記初期許可値を、無線制御局に通知する工程と、
前記無線制御局が、前記無線基地局配下のセルによって通知された前記初期許可値を、前記移動局に対して通知する工程と、
前記移動局が、前記上りユーザデータ送信用チャネルのサブフレーム長が変更された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信する工程とを有し、
前記無線基地局配下のセルは、前記初期許可値を、前記上りユーザデータ送信用チャネル上で１つのデータユニットだけを送信する際の許可値と等しくすることを特徴とする移動通信方法。
【請求項５】
前記移動局のサービングセルが、前記無線基地局配下の通信中セル群内の第１セルから第２セルに変更される際には、前記無線制御局は、前記初期許可値を該移動局に対して通知しないことを特徴とする請求項１乃至４のいずれか一項に記載の移動通信方法。
【請求項６】
前記移動局のサービングセルが、前記無線基地局配下の通信中セル群内の第１セルから第２セルに変更される際に、前記無線制御局は、該無線基地局によって通知された前記初期許可値を該移動局に対して通知することを特徴とする請求項１乃至４のいずれか一項に記載の移動通信方法。
【請求項７】
前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知することを特徴とする請求項１乃至６のいずれか一項に記載の移動通信方法。
【請求項８】
前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知しないことを特徴とする請求項１乃至６のいずれか一項に記載の移動通信方法。
【請求項９】
移動局が、無線基地局配下のセルによって通知された許可値に対応する伝送速度で、上りユーザデータを送信するように構成されている移動通信システムであって、
前記移動局と前記無線基地局配下のセルとの間で新規に上りユーザデータ送信用チャネルが設定される際に、該無線基地局配下のセルは、初期許可値を決定するように構成されており、
前記無線基地局配下のセルは、決定された前記初期許可値を、無線制御局に通知するように構成されており、
無線制御局は、前記無線基地局配下のセルによって通知された前記初期許可値を、前記移動局に対して通知するように構成されており、
前記移動局は、前記上りユーザデータ送信用チャネルが設定された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信するように構成されており、
前記無線基地局配下のセルは、前記初期許可値を、前記上りユーザデータ送信用チャネル上で１つのデータユニットだけを送信する際の許可値と等しくするように構成されていることを特徴とする移動通信システム。
【請求項１０】
移動局が、無線基地局配下のセルによって通知された許可値に対応する伝送速度で、上りユーザデータを送信するように構成されている移動通信システムであって、
前記移動局のサービングセルが、第１無線基地局配下のセルから第２無線基地局配下のセルに変更される際に、変更後のサービングセルは、初期許可値を決定するように構成されており、
前記変更後のサービングセルは、決定された前記初期許可値を、無線制御局に通知するように構成されており、
前記無線制御局は、前記変更後のサービングセルによって決定された前記初期許可値を、前記移動局に対して通知するように構成されており、
前記移動局は、前記サービングセルが変更された後、前記変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信するように構成されており、
前記変更後のサービングセルは、前記初期許可値を、前記上りユーザデータ送信用チャネル上で１つのデータユニットだけを送信する際の許可値と等しくするように構成されていることを特徴とする移動通信システム。
【請求項１１】
移動局が、無線基地局配下のセルによって通知された許可値に対応する伝送速度で、上りユーザデータを送信するように構成されている移動通信システムであって、
前記移動局のサービングセルが、前記無線基地局配下の通信中セル群内のセルから該無線基地局配下の非通信中セルに変更される際に、変更後のサービングセルは、初期許可値を決定するように構成されており、
前記変更後のサービングセルは、決定された前記初期許可値を、無線制御局に通知するように構成されており、
無線制御局は、前記変更後のサービングセルによって決定された前記初期許可値を、前記移動局に対して通知するように構成されており、
前記移動局は、前記サービングセルが変更された後、前記変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信するように構成されており、
前記変更後のサービングセルは、前記初期許可値を、前記上りユーザデータ送信用チャネル上で１つのデータユニットだけを送信する際の許可値と等しくするように構成されていることを特徴とする移動通信システム。
【請求項１２】
移動局が、無線基地局配下のセルによって通知された許可値に対応する伝送速度で、上りユーザデータを送信するように構成されている移動通信システムであって、
前記移動局と前記無線基地局配下のセルとの間で設定されている上りユーザデータ送信用チャネルのサブフレーム長が変更される際に、該無線基地局配下のセルは、初期許可値を決定するように構成されており、
前記無線基地局配下のセルは、決定された前記初期許可値を、無線制御局に通知するように構成されており、
前記無線制御局は、前記無線基地局配下のセルによって決定された前記初期許可値を、前記移動局に対して通知するように構成されており、
前記移動局は、前記上りユーザデータ送信用チャネルのサブフレーム長が変更された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信するように構成されており、
前記無線基地局配下のセルは、前記初期許可値を、前記上りユーザデータ送信用チャネル上で１つのデータユニットだけを送信する際の許可値と等しくするように構成されていることを特徴とする移動通信システム。
【請求項１３】
前記移動局のサービングセルが、前記無線基地局配下の通信中セル群内の第１セルから第２セルに変更される際には、前記無線制御局は、前記初期許可値を該移動局に対して通知しないように構成されていることを特徴とする請求項９乃至１２のいずれか一項に記載の移動通信システム。
【請求項１４】
前記移動局のサービングセルが、前記無線基地局配下の通信中セル群内の第１セルから第２セルに変更される際に、前記無線制御局は、該無線基地局によって通知された前記初期許可値を該移動局に対して通知するように構成されていることを特徴とする請求項９乃至１２のいずれか一項に記載の移動通信システム。
【請求項１５】
前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知するように構成されていることを特徴とする請求項９乃至１４のいずれか一項に記載の移動通信システム。
【請求項１６】
前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知しないように構成されていることを特徴とする請求項９乃至１４のいずれか一項に記載の移動通信システム。
【請求項１７】
移動局が、無線基地局配下のセルによって通知された許可値に対応する伝送速度で、上りユーザデータを送信するように構成されている移動通信システムで用いられる無線基地局であって、
前記移動局と前記無線基地局配下のセルとの間で新規に上りユーザデータ送信用チャネルが設定される際に、初期許可値を決定するように構成されている許可値決定部と、
決定された前記初期許可値を、無線制御局に通知するように構成されている初期許可値通知部とを具備しており、
前記移動局は、前記上りユーザデータ送信用チャネルが設定された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信するように構成されており、
前記許可値決定部は、前記初期許可値を、前記上りユーザデータ送信用チャネル上で１つのデータユニットだけを送信する際の許可値と等しくするように構成されていることを特徴とする無線基地局。
【請求項１８】
移動局が、無線基地局配下のセルによって通知された許可値に対応する伝送速度で、上りユーザデータを送信するように構成されている移動通信システムで用いられる無線基地局であって、
前記移動局のサービングセルが、前記無線基地局と異なる第１無線基地局配下のセルから該無線基地局配下のセルに変更される際に、初期許可値を決定するように構成されている許可値決定部と、
決定された前記初期許可値を、無線制御局に通知するように構成されている初期許可値通知部とを具備しており、
前記移動局は、前記サービングセルの変更が行われた後、変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信するように構成されており、
前記許可値決定部は、前記初期許可値を、前記上りユーザデータ送信用チャネル上で１つのデータユニットだけを送信する際の許可値と等しくするように構成されていることを特徴とする無線基地局。
【請求項１９】
移動局が、無線基地局配下のセルによって通知された許可値に対応する伝送速度で、上りユーザデータを送信するように構成されている移動通信システムで用いられる無線基地局あって、
前記移動局のサービングセルが、前記無線基地局配下の通信中セル群内のセルから該無線基地局配下の非通信中セルに変更される際に、初期許可値を決定するように構成されている許可値決定部と、
決定された前記初期許可値を、無線制御局に通知するように構成されている初期許可値通知部とを具備しており、
前記移動局は、前記サービングセルの変更が行われた後、変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信するように構成されており、
前記許可値決定部は、前記初期許可値を、前記上りユーザデータ送信用チャネル上で１つのデータユニットだけを送信する際の許可値と等しくするように構成されていることを特徴とする無線基地局。
【請求項２０】
移動局が、無線基地局配下のセルによって通知された許可値に対応する伝送速度で、上りユーザデータを送信するように構成されている移動通信システムで用いられる無線基地局であって、
前記移動局と前記無線基地局配下のセルとの間で設定されている上りユーザデータ送信用チャネルのサブフレーム長が変更される際に、初期許可値を決定するように構成されている許可値決定部と、
決定された前記初期許可値を、無線制御局に通知するように構成されている初期許可値通知部とを具備しており、
前記移動局は、前記上りユーザデータ送信用チャネルのサブフレーム長が変更された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信するように構成されており、
前記許可値決定部は、前記初期許可値を、前記上りユーザデータ送信用チャネル上で１つのデータユニットだけを送信する際の許可値と等しくするように構成されていることを特徴とする無線基地局。
【請求項２１】
前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知するように構成されていることを特徴とする請求項１７乃至２０のいずれか一項に記載の無線基地局。
【発明の詳細な説明】
【技術分野】
【０００１】
本発明は、移動局が無線基地局配下のセルによって通知された許可値に対応する伝送速度で上りユーザデータを送信する移動通信方法、移動通信システム及び無線基地局に関する。
【背景技術】
【０００２】
３ＧＰＰで規定されているＥＵＬ（Ｅｎｈａｎｃｅｄ  Ｕｐｌｉｎｋ）方式、すなわち、ＨＳＵＰＡ（Ｈｉｇｈ  Ｓｐｅｅｄ  Ｕｐｌｉｎｋ  Ｐａｃｋｅｔ  Ａｃｃｅｓｓ）方式が採用されている移動通信システムでは、以下の場合に、無線基地局ＮｏｄｅＢ配下のセル（サービングセル）が、移動局ＵＥに対して通知すべきＳＧ（許可値、Ｓｃｈｅｄｕｌｅｄ  Ｇｒａｎｔ）の初期値（初期許可値、Ｉｎｉｔｉａｌ  ＳＧ）を決定する。
【０００３】
・  移動局ＵＥと無線基地局ＮｏｄｅＢ配下のセルとの間で、新規に上りユーザデータ送信用チャネル（Ｅ-ＤＣＨ：Ｅｎｈａｎｃｅｄ-Ｄｅｄｉｃａｔｅｄ  Ｃｈａｎｎｅｌ）が設定される場合（ｓｔａｒｔ  ｏｆ  Ｅ-ＤＣＨ  ｔｒａｎｓｍｉｓｓｉｏｎ）
・  移動局ＵＥのサービングセルが変更される場合（Ｅ-ＤＣＨ  ｓｅｒｖｉｎｇ  ｃｅｌｌ  ｃｈａｎｇｅ）
・  移動局ＵＥと無線基地局ＮｏｄｅＢ配下のセルとの間で設定されている上りユーザデータ送信用チャネル（Ｅ-ＤＣＨ）のサブフレーム（ＴＴＩ：Ｔｒａｎｓｍｉｓｓｉｏｎ  Ｔｉｍｅ  Ｉｎｔｅｒｖａｌ）長が変更される場合（ＴＴＩ  ｃｈａｎｇｅ）
そして、移動局ＵＥは、無線基地局ＮｏｄｅＢ配下のサービングセルによって通知されたＳＧを受信するまでの間、無線制御局ＲＮＣによってＲＲＣメッセージで通知されたＳＧの初期値に対応する伝送速度で、設定された上りユーザデータ送信用チャネルを介して、上りユーザデータを送信するように構成されている。
【非特許文献１】３ＧＰＰ  ＴＳ２５.３２１、１１.８.１.３.２〜１１.８.１.３.５
【発明の開示】
【発明が解決しようとする課題】
【０００４】
しかしながら、３ＧＰＰでは、無線基地局ＮｏｄｅＢ配下のサービングセルが、どのように、ＳＧの初期値を決定すべきかについて規定されていない。
【０００５】
したがって、無線基地局ＮｏｄｅＢ配下のサービングセルが、ＳＧの初期値を過剰に大きく設定すると、無線基地局ＮｏｄｅＢにおける上りユーザデータの受信電力が急激に変動してしまい、通信中の上りユーザデータの受信品質が劣化するという問題点があった。
【０００６】
そこで、本発明は、上述の課題に鑑みてなされたものであり、上りユーザデータ送信用チャネル（Ｅ-ＤＣＨ）が新しく設定された場合や上りユーザデータ送信用チャネル（Ｅ-ＤＣＨ）の設定が変更になった場合等に、無線基地局ＮｏｄｅＢにおける上りユーザデータの受信電力の急激な変動を回避し、通信中の上りユーザデータの受信品質が劣化を防ぐことができる移動通信方法、移動通信システム及び無線基地局を提供することを目的とする。
【課題を解決するための手段】
【０００７】
本発明の第１の特徴は、移動局が、無線基地局配下のセルによって通知された許可値に対応する伝送速度で、上りユーザデータを送信する移動通信方法であって、前記移動局と前記無線基地局配下のセルとの間で新規に上りユーザデータ送信用チャネルが設定される際に、該無線基地局配下のセルが、初期許可値を決定する工程と、前記無線基地局配下のセルが、決定された前記初期許可値を、無線制御局に通知する工程と、前記無線制御局が、前記無線基地局配下のセルによって通知された前記初期許可値を、前記移動局に対して通知する工程と、前記移動局が、前記上りユーザデータ送信用チャネルが設定された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信する工程とを有し、前記無線基地局配下のセルは、前記初期許可値を、前記上りユーザデータ送信用チャネル上で１つのデータユニットだけを送信する際の許可値と等しくすることを要旨とする。
【０００８】
本発明の第２の特徴は、移動局が、無線基地局配下のセルによって通知された許可値に対応する伝送速度で、上りユーザデータを送信する移動通信方法であって、前記移動局のサービングセルが、第１無線基地局配下のセルから第２無線基地局配下のセルに変更される際に、変更後のサービングセルが、初期許可値を決定する工程と、前記変更後のサービングセルが、決定された前記初期許可値を、無線制御局に通知する工程と、前記無線制御局が、前記変更後のサービングセルによって通知された前記初期許可値を、前記移動局に対して通知する工程と、前記移動局が、前記サービングセルの変更が行われた後、前記変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信する工程とを有し、前記変更後のサービングセルは、前記初期許可値を、前記上りユーザデータ送信用チャネル上で１つのデータユニットだけを送信する際の許可値と等しくすることを要旨とする。
【０００９】
本発明の第３の特徴は、移動局が、無線基地局配下のセルによって通知された許可値に対応する伝送速度で、上りユーザデータを送信する移動通信方法であって、前記移動局のサービングセルが、前記無線基地局配下の通信中セル群内のセルから該無線基地局配下の非通信中セルに変更される際に、変更後のサービングセルが、初期許可値を決定する工程と、前記変更後のサービングセルが、決定された前記初期許可値を、無線制御局に通知する工程と、前記無線制御局が、前記変更後のサービングセルによって通知された前記初期許可値を、前記移動局に対して通知する工程と、前記移動局が、前記サービングセルの変更が行われた後、前記変更後のサービングセルによって通知された許可値を受信するまでの間、前記無線制御局によって通知された前記初期許可値に対応する伝送速度で、変更後のサービングセルとの間で設定されている上りユーザデータ送信用チャネルを介して、上りユーザデータを送信する工程とを有し、前記変更後のサービングセルは、前記初期許可値を、前記上りユーザデータ送信用チャネル上で１つのデータユニットだけを送信する際の許可値と等しくすることを要旨とする。
【００１０】
本発明の第４の特徴は、移動局が、無線基地局配下のセルによって通知された許可値に対応する伝送速度で、上りユーザデータを送信する移動通信方法であって、前記移動局と前記無線基地局配下のセルとの間で設定されている上りユーザデータ送信用チャネルのサブフレーム長が変更される際に、該無線基地局配下のセルが、初期許可値を決定する工程と、前記無線基地局配下のセルが、決定された前記初期許可値を、無線制御局に通知する工程と、前記無線制御局が、前記無線基地局配下のセルによって通知された前記初期許可値を、前記移動局に対して通知する工程と、前記移動局が、前記上りユーザデータ送信用チャネルのサブフレーム長が変更された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信する工程とを有し、前記無線基地局配下のセルは、前記初期許可値を、前記上りユーザデータ送信用チャネル上で１つのデータユニットだけを送信する際の許可値と等しくすることを要旨とする。
【００１１】
本発明の第１乃至第４の特徴において、前記移動局のサービングセルが、前記無線基地局配下の通信中セル群内の第１セルから第２セルに変更される際には、前記無線制御局は、前記初期許可値を該移動局に対して通知しなくてもよい。
【００１２】
本発明の第１乃至第４の特徴において、前記移動局のサービングセルが、前記無線基地局配下の通信中セル群内の第１セルから第２セルに変更される際に、前記無線制御局は、該無線基地局によって通知された前記初期許可値を該移動局に対して通知してもよい。
【００１３】
本発明の第１乃至第４の特徴において、前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知してもよい。
【００１４】
本発明の第１乃至第４の特徴において、前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知しなくてもよい。
【００１５】
本発明の第５の特徴は、移動局が、無線基地局配下のセルによって通知された許可値に対応する伝送速度で、上りユーザデータを送信するように構成されている移動通信システムであって、前記移動局と前記無線基地局配下のセルとの間で新規に上りユーザデータ送信用チャネルが設定される際に、該無線基地局配下のセルは、初期許可値を決定するように構成されており、前記無線基地局配下のセルは、決定された前記初期許可値を、無線制御局に通知するように構成されており、無線制御局は、前記無線基地局配下のセルによって通知された前記初期許可値を、前記移動局に対して通知するように構成されており、前記移動局は、前記上りユーザデータ送信用チャネルが設定された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信するように構成されており、前記無線基地局配下のセルは、前記初期許可値を、前記上りユーザデータ送信用チャネル上で１つのデータユニットだけを送信する際の許可値と等しくするように構成されていることを要旨とする。
【００１６】
本発明の第６の特徴は、移動局が、無線基地局配下のセルによって通知された許可値に対応する伝送速度で、上りユーザデータを送信するように構成されている移動通信システムであって、前記移動局のサービングセルが、第１無線基地局配下のセルから第２無線基地局配下のセルに変更される際に、変更後のサービングセルは、初期許可値を決定するように構成されており、前記変更後のサービングセルは、決定された前記初期許可値を、無線制御局に通知するように構成されており、前記無線制御局は、前記変更後のサービングセルによって決定された前記初期許可値を、前記移動局に対して通知するように構成されており、前記移動局は、前記サービングセルが変更された後、前記変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信するように構成されており、前記変更後のサービングセルは、前記初期許可値を、前記上りユーザデータ送信用チャネル上で１つのデータユニットだけを送信する際の許可値と等しくするように構成されていることを要旨とする。
【００１７】
本発明の第７の特徴は、移動局が、無線基地局配下のセルによって通知された許可値に対応する伝送速度で、上りユーザデータを送信するように構成されている移動通信システムであって、前記移動局のサービングセルが、前記無線基地局配下の通信中セル群内のセルから該無線基地局配下の非通信中セルに変更される際に、変更後のサービングセルは、初期許可値を決定するように構成されており、前記変更後のサービングセルは、決定された前記初期許可値を、無線制御局に通知するように構成されており、無線制御局は、前記変更後のサービングセルによって決定された前記初期許可値を、前記移動局に対して通知するように構成されており、前記移動局は、前記サービングセルが変更された後、前記変更後のサービングセルによって通知された許可値を受信するまでの間、前記無線制御局によって通知された前記初期許可値に対応する伝送速度で、変更後のサービングセルとの間で設定されている上りユーザデータ送信用チャネルを介して、上りユーザデータを送信するように構成されており、前記変更後のサービングセルは、前記初期許可値を、前記上りユーザデータ送信用チャネル上で１つのデータユニットだけを送信する際の許可値と等しくするように構成されていることを要旨とする。
【００１８】
本発明の第８の特徴は、移動局が、無線基地局配下のセルによって通知された許可値に対応する伝送速度で、上りユーザデータを送信するように構成されている移動通信システムであって、前記移動局と前記無線基地局配下のセルとの間で設定されている上りユーザデータ送信用チャネルのサブフレーム長が変更される際に、該無線基地局配下のセルは、初期許可値を決定するように構成されており、前記無線基地局配下のセルは、決定された前記初期許可値を、無線制御局に通知するように構成されており、前記無線制御局は、前記無線基地局配下のセルによって決定された前記初期許可値を、前記移動局に対して通知するように構成されており、前記移動局は、前記上りユーザデータ送信用チャネルのサブフレーム長が変更された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信するように構成されており、前記無線基地局配下のセルは、前記初期許可値を、前記上りユーザデータ送信用チャネル上で１つのデータユニットだけを送信する際の許可値と等しくするように構成されていることを要旨とする。
【００１９】
本発明の第５乃至第８の特徴において、前記移動局のサービングセルが、前記無線基地局配下の通信中セル群内の第１セルから第２セルに変更される際には、前記無線制御局は、前記初期許可値を該移動局に対して通知しないように構成されていてもよい。
【００２０】
本発明の第５乃至第８の特徴において、前記移動局のサービングセルが、前記無線基地局配下の通信中セル群内の第１セルから第２セルに変更される際に、前記無線制御局は、該無線基地局によって通知された前記初期許可値を該移動局に対して通知するように構成されていてもよい。
【００２１】
本発明の第５乃至第８の特徴において、前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知するように構成されていてもよい。
【００２２】
本発明の第５乃至第８の特徴において、前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知しないように構成されていてもよい。
【００２３】
本発明の第９の特徴は、移動局が、無線基地局配下のセルによって通知された許可値に対応する伝送速度で、上りユーザデータを送信するように構成されている移動通信システムで用いられる無線基地局であって、前記移動局と前記無線基地局配下のセルとの間で新規に上りユーザデータ送信用チャネルが設定される際に、初期許可値を決定するように構成されている許可値決定部と、決定された前記初期許可値を、無線制御局に通知するように構成されている初期許可値通知部とを具備しており、前記移動局は、前記上りユーザデータ送信用チャネルが設定された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信するように構成されており、前記許可値決定部は、前記初期許可値を、前記上りユーザデータ送信用チャネル上で１つのデータユニットだけを送信する際の許可値と等しくするように構成されていることを要旨とする。
【００２４】
本発明の第１０の特徴は、移動局が、無線基地局配下のセルによって通知された許可値に対応する伝送速度で、上りユーザデータを送信するように構成されている移動通信システムで用いられる無線基地局であって、前記移動局のサービングセルが、前記無線基地局と異なる第１無線基地局配下のセルから該無線基地局配下のセルに変更される際に、初期許可値を決定するように構成されている許可値決定部と、決定された前記初期許可値を、無線制御局に通知するように構成されている初期許可値通知部とを具備しており、前記移動局は、前記サービングセルの変更が行われた後、変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信するように構成されており、前記許可値決定部は、前記初期許可値を、前記上りユーザデータ送信用チャネル上で１つのデータユニットだけを送信する際の許可値と等しくするように構成されていることを要旨とする。
【００２５】
本発明の第１１の特徴は、移動局が、無線基地局配下のセルによって通知された許可値に対応する伝送速度で、上りユーザデータを送信するように構成されている移動通信システムで用いられる無線基地局あって、前記移動局のサービングセルが、前記無線基地局配下の通信中セル群内のセルから該無線基地局配下の非通信中セルに変更される際に、初期許可値を決定するように構成されている許可値決定部と、決定された前記初期許可値を、無線制御局に通知するように構成されている初期許可値通知部とを具備しており、前記移動局は、前記サービングセルの変更が行われた後、変更後のサービングセルによって通知された許可値を受信するまでの間、前記無線制御局によって通知された前記初期許可値に対応する伝送速度で、該変更後のサービングセルとの間で設定されている上りユーザデータ送信用チャネルを介して、上りユーザデータを送信するように構成されており、前記許可値決定部は、前記初期許可値を、前記上りユーザデータ送信用チャネル上で１つのデータユニットだけを送信する際の許可値と等しくするように構成されていることを要旨とする。
【００２６】
本発明の第１２の特徴は、移動局が、無線基地局配下のセルによって通知された許可値に対応する伝送速度で、上りユーザデータを送信するように構成されている移動通信システムで用いられる無線基地局であって、前記移動局と前記無線基地局配下のセルとの間で設定されている上りユーザデータ送信用チャネルのサブフレーム長が変更される際に、初期許可値を決定するように構成されている許可値決定部と、決定された前記初期許可値を、無線制御局に通知するように構成されている初期許可値通知部とを具備しており、前記移動局は、前記上りユーザデータ送信用チャネルのサブフレーム長が変更された後、前記無線基地局配下のセルによって通知された許可値を受信するまでの間、前記無線制御局によって通知された前記初期許可値に対応する伝送速度で、該上りユーザデータ送信用チャネルを介して、上りユーザデータを送信するように構成されており、前記許可値決定部は、前記初期許可値を、前記上りユーザデータ送信用チャネル上で１つのデータユニットだけを送信する際の許可値と等しくするように構成されていることを要旨とする。
【００２７】
本発明の第９乃至第１２の特徴において、前記移動局のサービングセルが、前記無線基地局配下の通信中セル群内の第１セルから第２セルに変更される際には、変更後のサービングセルは、変更前のサービングセルによって該移動局に対して通知されていた最新の許可値を該移動局に対して通知するように構成されていてもよい。
【発明の効果】
【００２８】
以上説明したように、本発明によれば、上りユーザデータ送信用チャネル（Ｅ-ＤＣＨ）が新しく設定された場合や上りユーザデータ送信用チャネル（Ｅ-ＤＣＨ）の設定が変更になった場合等に、無線基地局ＮｏｄｅＢにおける上りユーザデータの受信電力の急激な変動を回避し、通信中の上りユーザデータの受信品質が劣化を防ぐことができる移動通信方法、移動通信システム及び無線基地局を提供することができる。
【発明を実施するための最良の形態】
【００２９】
（本発明の第１の実施形態に係る移動通信システムの構成）
図１を参照して、本発明の第１の実施形態に係る移動通信システムの構成について説明する。
【００３０】
本実施形態に係る移動通信システムでは、ＥＵＬ方式が採用されており、無線基地局ＮｏｄｅＢと移動局ＵＥとの間の上りデータ通信には、ＨＡＲＱ（Ｈｙｂｒｉｄ  ＡＲＱ）再送制御が用いられるように構成されている。
【００３１】
なお、本実施形態では、無線基地局ＮｏｄｅＢと無線制御局ＲＮＣとが異なる装置となる構成について説明するが、本発明は、無線基地局ＮｏｄｅＢと無線制御局ＲＮＣとが同一の装置となる構成に対しても適用可能である。
【００３２】
図１に示すように、本実施形態に係る無線基地局ＮｏｄｅＢ配下の各セルは、要求受信部１１と、ＳＧ決定部１２と、応答送信部１３と、ＳＧ通知部１４とを具備している。
【００３３】
要求受信部１１は、無線制御局ＲＮＣから送信された「Ｒａｄｉｏ  Ｌｉｎｋ  Ｓｅｔｕｐ  Ｒｅｑｕｅｓｔ」や「Ｒａｄｉｏ  Ｌｉｎｋ  Ｒｅｃｏｎｆｉｇｕｒａｔｉｏｎ  Ｐｒｅｐａｒｅ」等を受信するように構成されている。
【００３４】
図２に示すように、移動局ＵＥと無線基地局ＮｏｄｅＢ＃１配下のセルとの間で新規に上りユーザデータ送信用チャネル（Ｅ-ＤＣＨ）が設定される際に、無線基地局ＮｏｄｅＢ＃１配下のセル内のＳＧ決定部１２は、当該移動局ＵＥに対して通知すべきＳＧの初期値（初期許可値）を決定するように構成されている。
【００３５】
また、図３に示すように、移動局ＵＥのサービングセルが、第１無線基地局ＮｏｄｅＢ＃１配下のセルから第２無線基地局ＮｏｄｅＢ＃２配下のセルに変更される際に、第２無線基地局ＮｏｄｅＢ＃２配下の変更後のサービングセル内のＳＧ決定部１２は、当該移動局ＵＥに対して通知すべきＳＧの初期値（初期許可値）を決定するように構成されている。
【００３６】
また、図４に示すように、移動局ＵＥのサービングセルが、無線基地局ＮｏｄｅＢ＃１配下の通信中セル群ＲＬＳ（Ｒａｄｉｏ  Ｌｉｎｋ  Ｓｅｔ）＃１内のセルから該無線基地局ＮｏｄｅＢ＃１配下の非通信中セル＃２に変更される際に、無線基地局ＮｏｄｅＢ＃１配下の変更後のサービングセル内のＳＧ決定部１２は、当該移動局ＵＥに対して通知すべきＳＧの初期値（初期許可値）を決定するように構成されている。
【００３７】
また、移動局ＵＥと無線基地局ＮｏｄｅＢ配下のセルとの間で設定されている上りユーザデータ送信用チャネル（Ｅ-ＤＣＨ）のサブフレーム（ＴＴＩ）長が変更される際に、無線基地局ＮｏｄｅＢ配下のセル内のＳＧ決定部１２は、当該移動局ＵＥに対して通知すべきＳＧの初期値（初期許可値）を決定するように構成されている。
【００３８】
ここで、上述のＳＧ決定部１２は、ＳＧの初期値（Ｉｎｉｔｉａｌ  ＳＧ、初期許可値）を、上りユーザデータ送信用チャネル（Ｅ-ＤＣＨ）上で１つのデータユニット（ＲＬＣ-ＰＤＵ）だけを送信する際の許可値（ＳＧ）と等しくするように構成されている。
【００３９】
ただし、ＳＧの初期値は、上りユーザデータ送信用チャネル（Ｅ-ＤＣＨ）上で１つのデータユニット（ＲＬＣ-ＰＤＵ）に加えて、ＳＩ（Ｓｃｈｅｄｕｌｉｎｇ  Ｉｎｆｏｒｍａｔｉｏｎ、スケジューリング情報）だけを送信する際の許可値（ＳＧ）と等しくするように構成されていてもよい。
【００４０】
なお、具体的なＳＧの初期値の決定方法については、後述する。
【００４１】
さらに、図５に示すように、移動局ＵＥのサービングセルが、無線基地局ＮｏｄｅＢ＃１配下の通信中セル群ＲＬＳ内の第１セルから第２セルに変更される際には、無線基地局ＮｏｄｅＢ＃１配下の変更後のサービングセル内のＳＧ決定部１２は、当該移動局ＵＥに対して通知すべきＳＧの初期値（初期許可値）を、変更前のサービングセル内のＳＧ通知部１４によって当該移動局ＵＥに対して通知されていた最新のＳＧ（許可値）として決定するように構成されていてもよい。
【００４２】
また、図５に示すように、移動局ＵＥのサービングセルが、無線基地局ＮｏｄｅＢ＃１配下の通信中セル群ＲＬＳ内の第１セルから第２セルに変更される際には、無線基地局ＮｏｄｅＢ＃１配下の変更後のサービングセル内のＳＧ決定部１２は、当該移動局ＵＥに対して通知すべきＳＧの初期値（初期許可値）を決定しないように構成されていてもよい。
【００４３】
また、ＳＧ決定部１２は、各サブフレーム（ＴＴＩ）において、上りユーザデータを送信可能な移動局ＵＥを決定し、当該移動局ＵＥに対して、上りユーザデータを送信可能な伝送速度（上りユーザデータ送信用の無線リソース）を割り当て、割り当てた伝送速度（無線リソース）に対応するＳＧ（許可値）を出力するように構成されている。
【００４４】
応答送信部１３は、無線制御局ＲＮＣに対して「Ｒａｄｉｏ  Ｌｉｎｋ  Ｓｅｔｕｐ  Ｒｅｓｐｏｎｓｅ」や「Ｒａｄｉｏ  Ｌｉｎｋ  Ｒｅｃｏｎｆｉｇｕｒａｔｉｏｎ  Ｒｅａｄｙ」等を送信するように構成されている。
【００４５】
なお、応答送信部１３は、「Ｒａｄｉｏ  Ｌｉｎｋ  Ｓｅｔｕｐ  Ｒｅｓｐｏｎｓｅ」や「Ｒａｄｉｏ  Ｌｉｎｋ  Ｒｅｃｏｎｆｉｇｕｒａｔｉｏｎ  Ｒｅａｄｙ」等によって、無線制御局ＲＮＣに対して、ＳＧ決定部１２によって決定されたＳＧの初期値を通知するように構成されている。
【００４６】
また、図５に示すように、移動局ＵＥのサービングセルが、無線基地局ＮｏｄｅＢ＃１配下の通信中セル群ＲＬＳの第１セルから第２セルに変更される際には、無線基地局ＮｏｄｅＢ＃１配下の変更後のサービングセル内の応答送信部１３は、当該無線制御局ＲＮＣに対して、かかるＳＧの初期値（初期許可値）を通知するように構成されていてもよいし、かかるＳＧの初期値（初期許可値）を通知しないように構成されていてもよい。
【００４７】
ＳＧ通知部１４は、ＳＧ決定部１２によって出力されたＳＧを、スケジューリング対象の移動局ＵＥ（上りユーザデータを送信可能な移動局ＵＥ）に対して、Ｅ-ＡＧＣＨ（Ｅ-ＤＣＨ  Ａｂｓｏｌｕｔｅ  Ｇｒａｎｔ  Ｃｈａｎｎｅｌ）又はＥ-ＲＧＣＨ（Ｅ-ＤＣＨ  Ｒｅｌａｔｉｖｅ  Ｇｒａｎｔ  Ｃｈａｎｎｅｌ）を介して通知するように構成されている。
【００４８】
なお、図５に示すように、移動局ＵＥのサービングセルが、無線基地局ＮｏｄｅＢ＃１配下の通信中セル群ＲＬＳ内の第１セルから第２セルに変更される際には、無線基地局ＮｏｄｅＢ＃１配下の変更後の内のＳＧ通知部１４は、当該移動局ＵＥに対して、かかるＳＧの初期値（初期許可値）を通知しないように構成されていてもよいし、変更前のサービングセル内のＳＧ通知部１４によって当該移動局ＵＥに対して通知されていた最新のＳＧ（許可値）を、再度、通知するように構成されていてもよい。
【００４９】
かかる場合、無線基地局ＮｏｄｅＢでは、上述のサービングセルの変更前に確保していた無線リソースと同等の無線リソースを、当該移動局ＵＥにおける上りユーザデータ送信用の無線リソースとして確保する。
【００５０】
（本発明の第１の実施形態に係る移動通信システムの動作）
図６乃至図１２を参照して、本発明の第１の実施形態に係る移動通信システムの動作について説明する。
【００５１】
図６に示すように、ステップＳ１００１において、無線制御局ＲＮＣは、無線基地局ＮｏｄｅＢ＃１配下のセルに対して、ＮＢＡＰメッセージである「Ｒａｄｉｏ  Ｌｉｎｋ  Ｓｅｔｕｐ  Ｒｅｑｕｅｓｔ」又は「Ｒａｄｉｏ  Ｌｉｎｋ  Ｒｅｃｏｎｆｉｇｕｒａｔｉｏｎ  Ｐｒｅｐａｒｅ」を送信する。
【００５２】
ただし、移動局ＵＥのサービングセルが、無線基地局ＮｏｄｅＢ＃１配下のセルから無線基地局ＮｏｄｅＢ＃２配下のセルに変更される場合には、無線制御局ＲＮＣは、無線基地局ＮｏｄｅＢ＃２配下のセルに対して、ＮＢＡＰメッセージである「Ｒａｄｉｏ  Ｌｉｎｋ  Ｓｅｔｕｐ  Ｒｅｑｕｅｓｔ」又は「Ｒａｄｉｏ  Ｌｉｎｋ  Ｒｅｃｏｎｆｉｇｕｒａｔｉｏｎ  Ｐｒｅｐａｒｅ」を送信する。
【００５３】
ステップＳ１００２において、無線基地局ＮｏｄｅＢ＃１（図３の例では、無線基地局ＮｏｄｅＢ＃２である）配下のセルは、「Ｒａｄｉｏ  Ｌｉｎｋ  Ｓｅｔｕｐ  Ｒｅｑｕｅｓｔ」又は「Ｒａｄｉｏ  Ｌｉｎｋ  Ｒｅｃｏｎｆｉｇｕｒａｔｉｏｎ  Ｐｒｅｐａｒｅ」に対応する処理を行うと共に、以下の場合には、対象の移動局ＵＥに対して通知すべきＳＧの初期値（Ｉｎｉｔｉａｌ  ＳＧ）を決定する。
【００５４】
・  移動局ＵＥと無線基地局ＮｏｄｅＢ＃１配下のセルとの間で新規に上りユーザデータ送信用チャネル（Ｅ-ＤＣＨ）が設定される場合（図２参照）
・  移動局ＵＥのサービングセルが、第１無線基地局ＮｏｄｅＢ＃１配下のセルから第２無線基地局ＮｏｄｅＢ＃２配下のセルに変更される場合（図３参照）
・  移動局ＵＥのサービングセルが、無線基地局ＮｏｄｅＢ＃１配下の通信中セル群ＲＬＳ＃１内のセルから該無線基地局ＮｏｄｅＢ＃１配下の非通信中セル＃２に変更される場合（図４参照）
・  移動局ＵＥと無線基地局ＮｏｄｅＢ配下のセルとの間で設定されている上りユーザデータ送信用チャネル（Ｅ-ＤＣＨ）のサブフレーム（ＴＴＩ）長が変更される場合  以下、図７乃至図１２を参照して、かかるＳＧの許可値の決定方法について説明する。なお、図３の例では、無線基地局ＮｏｄｅＢ＃２配下のセルであるが、無線基地局Ｎｏｄｅ＃１配下のセルの動作と無線基地局Ｎｏｄｅ＃２配下のセルの動作とは同一であるため、以下、無線基地局Ｎｏｄｅ＃１配下のセルの動作について説明する。
【００５５】
図７に示すように、無線基地局ＮｏｄｅＢ＃１配下のセルは、１つのＲＬＣ-ＰＤＵだけを送信する際のトランスポートブロック（図８（ａ）又は図８（ｂ）に示すトランスポートブロック）に対応するＥ-ＴＦＣＩを取得する。
【００５６】
図８（ａ）に示すように、１つのＲＬＣ-ＰＤＵだけを送信する際のトランスポートブロックのサイズは、ＲＬＣ-ＰＤＵのサイズが「３２０ビット」であり、ＲＬＣヘッダのサイズが「１６ビット」であり、ＭＡＣ-ｅｓヘッダ及びＭＡＣ-ｅヘッダのサイズが「１８ビット」であるため、３５４ビットになる。
【００５７】
また、図８（ｂ）に示すように、１つのＲＬＣ-ＰＤＵに加えてＳＩ（スケジューリング情報）だけを送信する際のトランスポートブロックのサイズは、ＳＩのサイズが「１８ビット」であるため、３７２ビットになる。
【００５８】
ここで、無線基地局ＮｏｄｅＢ＃１配下のセルは、図９に示す「Ｅ-ＴＦＣＩ」と「ＴＢＳ（トランスポートブロックサイズ）」との対応表を管理しており、かかる対応表を参照して、図８（ａ）の例では「Ｅ-ＴＦＣＩ＝３」を取得し、図８（ｂ）の例では「Ｅ-ＴＦＣＩ＝４」を取得する。以下、「Ｅ-ＴＦＣＩ＝３」として説明を行う。
【００５９】
ステップＳ１０２において、無線基地局ＮｏｄｅＢ＃１配下のセルは、「３ＧＰＰ  ＴＳ２５.２１４  ５.１.２.５  Ｂ２」に記載されている（式１）を用いて、ステップＳ１０１において取得したＥ-ＴＦＣＩに対応するβｅｄ,ｉ,ｈａｒｑを算出する。
【数１】
0004999724.tif 000002
ここで、βｅｄ,ｒｅｆは、無線制御局ＲＮＣから通知される「Ｒｅｆｅｒｅｎｃｅ  Ｅ-ＴＦＣ」の「ゲインファクタ（Ｇａｉｎ  Ｆａｃｔｏｒ）」である。また、Ｌｅ,ｒｅｆは、無線制御局ＲＮＣから通知される「Ｒｅｆｅｒｅｎｃｅ  Ｅ-ＴＦＣ」の「Ｅ-ＤＰＤＣＨの本数」である。さらに、Ｋｅ,ｒｅｆは、無線制御局ＲＮＣから通知される「Ｒｅｆｅｒｅｎｃｅ  Ｅ-ＴＦＣ」の「ＴＢＳ」である。
【００６０】
また、Ｌｅ,ｉは、１つのＲＬＣ-ＰＤＵに相当するＥ-ＴＦＣＩ（＝３）におけるＥ-ＤＰＤＣＨの数である（固定値＝１）。また、Ｋｅ,ｉは、１つのＲＬＣ-ＰＤＵに相当するＥ-ＴＦＣＩ（＝３）におけるＴＢＳ（＝３５４ビット）である。Δｈａｒｑは、無線制御局ＲＮＣから通知される「ＨＡＲＱ  Ｐｏｗｅｒ  Ｏｆｆｓｅｔ」である。
【００６１】
ここで、βｅｄ,ｒｅｆ＝３０/１５、Ｌｅ,ｒｅｆ＝１、Ｋｅ,ｒｅｆ＝３５４、Δｈａｒｑ＝０とすると、βｅｄ,ｉ,ｈａｒｑ＝３０/１５となる。以下、かかるβｅｄ,ｉ,ｈａｒｑを用いて説明を行う。
【００６２】
ステップＳ１０３において、無線基地局ＮｏｄｅＢ＃１配下のセルは、図１０に示す表を参照して、βｅｄ,ｋ≦βｅｄ,ｉ,ｈａｒｑとなる最大のβｅｄ,ｋ/βｃを算出する。ここで、図１０に示す表は、「３ＧＰＰ  ＴＳ２５.２１３  Ｔａｂｌｅ１.Ｂ.２」に記載されている表である。
【００６３】
本実施形態では、βｅｄ,ｉ,ｈａｒｑ＝３０/１５であるため、βｅｄ,ｋ≦βｅｄ,ｉ,ｈａｒｑとなる最大のβｅｄ,ｋ/βｃは「３０/１５」である。
【００６４】
ステップＳ１０４において、βｅｄ,ｋ/βｃが、振幅比であるため、無線基地局ＮｏｄｅＢ＃１配下のセルは、図１１に示す「Ａｂｓｏｌｕｔｅ  Ｇｒａｎｔ  Ｖａｌｕｅ」と「Ｉｎｄｅｘ」との対応表を参照して、（βｅｄ,ｋ/βｃ）２を超えない最大の「Ａｂｓｏｌｕｔｅ  Ｇｒａｎｔ  Ｖａｌｕｅ」に対応する「Ｉｎｄｅｘ」を、ＳＧの初期値のインデックスとする。
【００６５】
ここで、図１１に示す「Ａｂｓｏｌｕｔｅ  Ｇｒａｎｔ  Ｖａｌｕｅ」と「Ｉｎｄｅｘ」との対応表は、「３ＧＰＰ  ＴＳ２５.２１２  Ｔａｂｌｅ１６Ｂ」に記載されている表である。
【００６６】
本実施形態では、無線基地局ＮｏｄｅＢ＃１配下のセルは、ＳＧの初期値（３０/１５）２のインデックスとして「８」を抽出する。
【００６７】
或いは、ステップＳ１０４において、βｅｄ,ｋ/βｃが、振幅比であるため、無線基地局ＮｏｄｅＢ＃１配下のセルは、図１２に示す「Ｓｃｈｅｄｕｌｅｄ  Ｇｒａｎｔ」と「Ｉｎｄｅｘ」との対応表を参照して、（βｅｄ,ｋ/βｃ）２を超えない最大の「Ｓｃｈｅｄｕｌｅｄ  Ｇｒａｎｔ」に対応する「Ｉｎｄｅｘ」を、ＳＧの初期値のインデックスとしてもよい。
【００６８】
ここで、図１２に示す「Ｓｃｈｅｄｕｌｅｄ  Ｇｒａｎｔ」と「Ｉｎｄｅｘ」との対応表は、「３ＧＰＰ  ＴＳ２５.２１２  Ｔａｂｌｅ９．２.５.２.１.１」に記載されている表である。
【００６９】
本実施形態では、無線基地局ＮｏｄｅＢ＃１配下のセルは、ＳＧの初期値（３０/１５）２のインデックスとして「１４」を抽出する。
【００７０】
図６のステップＳ１００３において、無線基地局ＮｏｄｅＢ＃１（図３の例では、無線基地局ＮｏｄｅＢ＃２である）配下のセルは、無線制御局ＲＮＣに対して、「Ｒａｄｉｏ  Ｌｉｎｋ  Ｓｅｔｕｐ  Ｒｅｓｐｏｎｓｅ」や「Ｒａｄｉｏ  Ｌｉｎｋ  Ｒｅｃｏｎｆｉｇｕｒａｔｉｏｎ  Ｒｅａｄｙ」等を送信することによって、決定されたＳＧの初期値を通知する。
【００７１】
なお、図５に示すように、移動局ＵＥのサービングセルが、無線基地局ＮｏｄｅＢ＃１配下の通信中セル群ＲＬＳ内の第１セルから第２セルに変更される際には、無線基地局ＮｏｄｅＢ＃１配下の変更後のサービングセルは、無線制御局ＲＮＣに対して、決定されたＳＧの初期値（初期許可値）を通知してもよいし通知しなくてもよい。
【００７２】
ステップＳ１００４において、無線制御局ＲＮＣは、移動局ＵＥに対して、抽出したＳＧの初期値のインデックスを含むＲＲＣメッセージを送信することによって、ＳＧの初期値を通知する。
【００７３】
なお、図５に示すように、移動局ＵＥのサービングセルが、無線基地局ＮｏｄｅＢ＃１配下の通信中セル群ＲＬＳ内の第１セルから第２セルに変更される際には、無線制御局ＲＮＣは、当該移動局ＵＥに対して、ＳＧの初期値（初期許可値）を通知してもよいし通知しなくてもよい。
【００７４】
また、図５に示すように、移動局ＵＥのサービングセルが、無線基地局ＮｏｄｅＢ＃１配下の通信中セル群ＲＬＳ内の第１セルから第２セルに変更される際には、変更後のサービングセルは、変更前のサービングセルによって当該移動局ＵＥに対して通知されていた最新のＳＧ（許可値）を、当該移動局ＵＥに対して、通知してもよいし通知しなくてもよい。
【００７５】
ステップＳ１００５において、移動局ＵＥは、無線基地局ＮｏｄｅＢ＃１配下のセルによってＥ-ＡＧＣＨ又はＥ-ＲＧＣＨを介して通知されたＳＧ（許可値）を受信するまでの間、かかるＳＧの初期値に対応する伝送速度で、上りユーザデータ送信用チャネル（Ｅ-ＤＣＨ）を介して、上りユーザデータを送信する。
【００７６】
（本発明の第１の実施形態に係る移動通信システムの作用・効果）
本実施形態に係る移動通信システムによれば、Ｅ-ＤＣＨが新しく設定された場合やＥ-ＤＣＨの設定が変更になった場合等に、Ｅ-ＤＣＨ上で１つのＲＬＣ-ＰＤＵ（及び、ＳＩ）だけを送信可能なＥ-ＴＦＣＩに対応するＳＧを、ＳＧの初期値として設定するように構成されているため、無線基地局ＮｏｄｅＢにおける上りユーザデータの受信電力の急激な変動を回避し、通信中の上りユーザデータの受信品質が劣化を防ぐことができる。
【００７７】
なお、上述の移動局ＵＥや無線基地局ＮｏｄｅＢの動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢや無線制御局ＲＮＣ内に設けられていてもよい。また、かかる記憶媒体及びプロセッサは、ディスクリートコンポーネントとして移動局ＵＥや無線基地局ＮｏｄｅＢ内に設けられていてもよい。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８１】
【図１】本発明の第１の実施形態に係る無線基地局配下のセルの機能ブロック図である。
【図２】本発明の第１の実施形態に係る無線基地局配下のセルによってＳＧの初期値が決定される場合の一例を示す図である。
【図３】本発明の第１の実施形態に係る無線基地局配下のセルによってＳＧの初期値が決定される場合の一例を示す図である。
【図４】本発明の第１の実施形態に係る無線基地局配下のセルによってＳＧの初期値が決定される場合の一例を示す図である。
【図５】本発明の第１の実施形態に係る無線基地局配下のセルによってＳＧの初期値が決定される場合の一例を示す図である。
【図６】本発明の第１の実施形態に係る移動通信システムの動作を示すシーケンス図である。
【図７】本発明の第１の実施形態に係る無線基地局配下のセルの動作を示すフローチャートである。
【図８】本発明の第１の実施形態に係る移動局によってＥ-ＤＰＤＣＨ上で送信される上りユーザデータのフォーマットの一例を示す図である。
【図９】本発明の第１の実施形態に係る無線基地局配下のセルによって管理されている「Ｅ-ＴＦＣＩ」と「ＴＢＳ」との対応表の一例を示す図である。
【図１０】本発明の第１の実施形態に係る無線基地局配下のセルによって管理されている「βｅｄ，ｋ/βｃ」の一覧表の一例を示す図である。
【図１１】本発明の第１の実施形態に係る無線基地局配下のセルによって管理されている「Ａｂｓｏｌｕｔｅ  Ｇｒａｎｔ  Ｖａｌｕｅ」と「Ｉｎｄｅｘ」との対応表の一例を示す図である。
【図１２】本発明の第１の実施形態に係る無線基地局配下のセルによって管理されている「Ｉｎｄｅｘ」と「Ｓｃｈｅｄｕｌｅｄ  Ｇｒａｎｔ」との対応表の一例を示す図である。
【符号の説明】
【００８２】
ＮｏｄｅＢ…無線基地局
１１…要求受信部
１２…ＳＧ決定部
１３…応答送信部
１４…ＳＧ通知部
ＵＥ…移動局
【図１】
0004999724.tif 000003
【図２】
0004999724.tif 000004
【図３】
0004999724.tif 000005
【図４】
0004999724.tif 000006
【図５】
0004999724.tif 000007
【図６】
0004999724.tif 000008
【図７】
0004999724.tif 000009
【図８】
0004999724.tif 000010
【図９】
0004999724.tif 000011
【図１０】
0004999724.tif 000012
【図１１】
0004999724.tif 000013
【図１２】
0004999724.tif 000014